(57)【特許請求の範囲】
【請求項１】
装置車を含み、前記装置車の頂面には連結体が固定的に設置され、前記連結体の右側面には支持体が固定的に設置され、前記支持体の中には前後対称で下方に開口したインパクト空間が二つ設置され、前記インパクト空間の内壁にはいずれも氷切り取り柱がスライドできるように設置され、前記氷切り取り柱の底面にはいずれも氷を切り取ることができる氷切り取り盤が設置され、前記インパクト空間の左側には制御空間が連通するように設置され、前記制御空間の中には制御機構が設置され、前記制御機構は前記氷切り取り柱を制御して前記氷切り取り柱に断続的に下方へ氷を衝撃させて切り取らせることができ、前記連結体の底面には前後対称の二つの砕氷柱が回転できるように設置され、前記砕氷柱の底面にはいずれも氷を割ることで砕氷効果を得る砕氷盤が固定的に設置され、前記連結体の中には動力空間が設置され、前記動力空間の中には動力機構が設置され、前記動力機構は前記砕氷柱を制御して回転させ、そして前記制御機構を作動させることができ、
前記装置車の中には運転室が設置され、前記運転室の左側には液体貯蔵空間が設置され、前記液体貯蔵空間の中にはお湯が貯蔵され、前記連結体の頂面には開門機構が設置され、前記開門機構は前記液体貯蔵空間の中にあるお湯を断続的に前記支持体の右側に噴くことができ、前記装置車と前記支持体との間には氷すくい機構が設置され、前記氷すくい機構は砕氷と緩んだ氷塊をすくって左方へ投げることができ、前記液体貯蔵空間の下側には氷貯蔵空間が設置され、前記氷貯蔵空間の中は装置の中に収集された氷塊を貯蔵でき、前記氷貯蔵空間の右側には下方に開口した輸送空間が連通するように設置され、前記輸送空間の中には輸送機構が設置され、前記輸送機構は前記氷すくい機構が投げ出した氷塊を前記氷貯蔵空間の中に輸送できることを特徴とする清掃機能付きの道路砕氷除氷車。
【請求項２】
前記制御機構は前記制御空間の後壁に回転できるように設置された従動軸を含み、前記従動軸の外周には前後対称の二つのセクタ輪及び一つの第一傘歯車が固定的に設置され、前記第一傘歯車が二つの前記セクタ輪の間に位置し、前記氷切り取り柱の左側面には歯が付き、前記セクタ輪は前記氷切り取り柱の左側面と噛み合うことができ、前記氷切り取り柱の頂面と前記インパクト空間の頂壁との間には第一ばねが固定的に装着され、前記制御空間の上側には歯車空間が設置され、前記歯車空間と前記制御空間との内壁の間には縦軸が回転できるように設置され、前記縦軸の下方へ伸びた部分が前記制御空間の中に延在し、前記縦軸の上方へ伸びた部分が前記歯車空間の中に延在し、前記縦軸の上下側面にはいずれも第二傘歯車が固定的に設置され、下側の前記第二傘歯車が前記第一傘歯車と噛み合うことを特徴とする請求項１に記載の清掃機能付きの道路砕氷除氷車。
【請求項３】
前記氷切り取り盤の底面には氷切り取り歯が均一に配置されていることを特徴とする請求項２に記載の清掃機能付きの道路砕氷除氷車。
【請求項４】
前記動力機構は前記動力空間の前後壁に回転できるように設置されたウォームを含み、前記ウォームの外周には第三傘歯車が固定的に設置され、前記動力空間と前記歯車空間との内壁の間には伝動軸が回転できるように設置され、前記伝動軸の左方へ伸びた部分が前記動力空間の中に延在し、前記伝動軸の右方へ伸びた部分が前記歯車空間の中に延在し、前記伝動軸の左右両側面にはいずれも第四傘歯車が固定的に設置され、右側にある前記第四傘歯車と上側にある前記第二傘歯車とが噛み合い、左側にある前記第四傘歯車と前記第三傘歯車とが噛み合い、前記動力空間の左壁には第一モータが固定的に設置され、前記第一モータの両側面にはいずれもモータ軸が伝動できるように連結され、右側にある前記モータ軸の右側面には第五傘歯車が固定的に設置され、前記第五傘歯車と前記第三傘歯車とが噛み合い、二つの前記砕氷柱の上方へ伸びた部分がいずれも前記動力空間の中に延在し、且つ前記砕氷柱の頂面にはウォームホイールが固定的に設置され、前記ウォームホイールと前記ウォームとは噛み合い、前記第三傘歯車が二つの前記ウォームホイールの間に位置し、前記支持体の左側面には前後対称の二つの安定ブロックが固定的に設置され、前記砕氷柱が前記安定ブロックを貫通し、前記砕氷柱と前記安定ブロックとは回転できるように連結されていることを特徴とする請求項３に記載の清掃機能付きの道路砕氷除氷車。
【請求項５】
前記砕氷盤の底面には砕氷刃が固定的に設置されていることを特徴とする請求項４に記載の清掃機能付きの道路砕氷除氷車。
【請求項６】
前記開門機構は前記連結体の頂面に固定的に設置された揚水ポンプを含み、前記揚水ポンプの左側面には吸水管が連通するように装着され、前記揚水ポンプの右側面には排水管が連通するように装着され、前記吸水管の下方へ伸びた部分が前記液体貯蔵空間の中に延在し、前記液体貯蔵空間の両側の内部には保温層が固定的に設置され、前記排水管の右側面にはノズルが固定的に設置され、前記動力空間の左側には回転盤空間が設置され、前記回転盤空間の上側にはスライド空間が連通するように設置され、前記スライド空間と前記排水管とは連通し、前記スライド空間の内壁にはピストンがスライドできるように設置され、左側にある前記モータ軸の左方へ伸びた部分が前記回転盤空間の中に延在し、且つ前記回転盤空間の左側面には回転盤が固定的に設置され、前記回転盤の左側面と前記ピストンの底面にはコンロッドがヒンジで連結されていることを特徴とする請求項５に記載の清掃機能付きの道路砕氷除氷車。
【請求項７】
前記氷すくい機構は二つの固定板を含み、二つの前記固定板は前記装置車の右側面に前後対称的に、且つ固定的に設置され、二つの前記固定板の間にはローラ軸が回転できるように設置され、前記ローラ軸の外周にはローラが固定的に設置され、前記ローラの外周には六つの固定ブロックが固定的に設置され、二つずつの前記固定ブロックの間にはいずれもスライドロッドが固定的に設置され、前記スライドロッドの外周にはいずれもスライダがスライドできるように設置され、前記スライダの片側面と前記ローラとはスライドできるように連結され、前記スライダの他側面にはスコップが固定的に設置され、前記スコップの中には氷すくい空間が設置され、各組の前記固定ブロックと前記スライダとの間には第二ばねが固定的に装着されていることを特徴とする請求項１に記載の清掃機能付きの道路砕氷除氷車。
【請求項８】
前記運転室の下側にはモータ空間が設置され、前記モータ空間の底壁には第二モータが固定的に設置され、前記第二モータの左右両側面にはいずれも横軸が伝動できるように連結され、前記横軸の他側面にはいずれも第六傘歯車が固定的に設置され、後側にある前記固定板の中にはベルト空間が設置され、前記ベルト空間と前記モータ空間との間には連結空間が連通するように設置され、前記ローラ軸の後方へ伸びた部分が前記ベルト空間の中に延在し、且つ前記ベルト空間の後壁と回転できるように連結され、前記ベルト空間の中にある前記ローラ軸の外周には第一プーリが固定的に設置され、前記モータ空間の後壁にはプーリ軸が回転できるように設置され、前記プーリ軸の外周には第七傘歯車と第二プーリとが固定的に設置され、前記第七傘歯車と前記第六傘歯車とは噛み合い、前記第二プーリと前記第一プーリとの間にはベルトが伝動できるように装着されていることを特徴とする請求項７に記載の清掃機能付きの道路砕氷除氷車。
【請求項９】
前記輸送機構は前記氷貯蔵空間の後壁に回転できるように設置された旋転軸を含み、前記旋転軸の外周には第三プーリが固定的に設置され、前記装置車の底面には前後対称の二つの支持柱が固定的に設置され、二つの前記支持柱の間には従動輪が回転できるように設置され、前記従動輪と前記第三プーリとの間には輸送ベルトが伝動できるように装着され、前記輸送ベルトの外側面には輸送ブロックが均一に且つ固定的に配置され、前記輸送ベルトが前記輸送空間を貫通し、前記輸送ベルトの右側部分が前記ローラの左下方に位置し、前記氷貯蔵空間の後側には矩形空間が設置され、前記旋転軸の後方へ伸びた部分が前記矩形空間の中に延在し、且つ前記旋転軸の後側面には第八傘歯車が固定的に設置され、左側にある前記横軸の左方へ伸びた部分が前記矩形空間の中に延在し、左側にある前記第六傘歯車と前記第八傘歯車とが噛み合うことを特徴とする請求項８に記載の清掃機能付きの道路砕氷除氷車。
【発明の詳細な説明】
【技術分野】
【０００１】
本願発明は道路除氷技術分野を取り上げて、具体的には清掃機能付きの道路砕氷除氷車である。
【背景技術】
【０００２】
寒い日に辺鄙な地域における道路は結氷しやすく、車両の通常運転に影響を与え、安全事故を引き起こしやすい。一般的に、除氷作業は人力で工業用塩を撒くことによって行われる。氷が融けた後に、フォークリフトで輸送され、この方法では時間も力もかかる。また、氷が非常に硬い場合、工業用塩を使用しても氷を溶かすのが難しくなり、市場には少数の砕氷除氷用機械または砕氷除氷用車両があるが、これらの機械や車両は転がるフォーク機構だけで氷を切り取り、効果があまり理想的ではなく、除氷の性能が高くなく、清掃装置もついていなく、結果としてフォークリフトの清掃が依然として必要になる。
【先行技術文献】
【特許文献】
【０００３】
【特許文献１】中国特許出願公開第１０２９６６０６７号明細書
【発明の概要】
【発明が解決しようとする課題】
【０００４】
本発明は清掃機能付きの道路砕氷除氷車を提供し、従来技術における上記欠点を解消することを目的とする。
【課題を解決するための手段】
【０００５】
本願発明の実施例の清掃機能付きの道路砕氷除氷車は、装置車を含み、前記装置車の頂面には連結体が固定的に設置され、前記連結体の右側面には支持体が固定的に設置され、前記支持体の中には前後対称で下方に開口したインパクト空間が二つ設置され、前記インパクト空間の内壁にはいずれも氷切り取り柱がスライドできるように設置され、前記氷切り取り柱の底面にはいずれも氷を切り取ることができる氷切り取り盤が設置され、前記インパクト空間の左側には制御空間が連通するように設置され、前記制御空間の中には制御機構が設置され、前記制御機構は前記氷切り取り柱を制御して前記氷切り取り柱に断続的に下方へ氷を衝撃させて切り取らせることができ、前記連結体の底面には前後対称の二つの砕氷柱が回転できるように設置され、前記砕氷柱の底面にはいずれも氷を割ることで砕氷効果を得る砕氷盤が固定的に設置され、前記連結体の中には動力空間が設置され、前記動力空間の中には動力機構が設置され、前記動力機構は前記砕氷柱を制御して回転させ、そして前記制御機構を作動させることができ、前記装置車の中には運転室が設置され、前記運転室の左側には液体貯蔵空間が設置され、前記液体貯蔵空間の中にはお湯が貯蔵され、前記連結体の頂面には開門機構が設置され、前記開門機構は前記液体貯蔵空間の中にあるお湯を断続的に前記支持体の右側に噴くことができ、前記装置車と前記支持体との間には氷すくい機構が設置され、前記氷すくい機構は砕氷と緩んだ氷塊をすくって左方へ投げることができ、前記液体貯蔵空間の下側には氷貯蔵空間が設置され、前記氷貯蔵空間の中は装置の中に収集された氷塊を貯蔵でき、前記氷貯蔵空間の右側には下方に開口した輸送空間が連通するように設置され、前記輸送空間の中には輸送機構が設置され、前記輸送機構は前記氷すくい機構が投げ出した氷塊を前記氷貯蔵空間の中に輸送できる。
【０００６】
また、もう一つの実施例の中で、前記制御機構は前記制御空間の後壁に回転できるように設置された従動軸を含み、前記従動軸の外周には前後対称の二つのセクタ輪及び一つの第一傘歯車が固定的に設置され、前記第一傘歯車が二つの前記セクタ輪の間に位置し、前記氷切り取り柱の左側面には歯が付き、前記セクタ輪は前記氷切り取り柱の左側面と噛み合うことができ、前記氷切り取り柱の頂面と前記インパクト空間の頂壁との間には第一ばねが固定的に装着され、前記制御空間の上側には歯車空間が設置され、前記歯車空間と前記制御空間との内壁の間には縦軸が回転できるように設置され、前記縦軸の下方へ伸びた部分が前記制御空間の中に延在し、前記縦軸の上方へ伸びた部分が前記歯車空間の中に延在し、前記縦軸の上下側面にはいずれも第二傘歯車が固定的に設置され、下側の前記第二傘歯車が前記第一傘歯車と噛み合う。
【０００７】
また、もう一つの実施例の中で、前記氷切り取り盤の底面には氷切り取り歯が均一に配置されている。
【０００８】
また、もう一つの実施例の中で、前記動力機構は前記動力空間の前後壁に回転できるように設置されたウォームを含み、前記ウォームの外周には第三傘歯車が固定的に設置され、前記動力空間と前記歯車空間との内壁の間には伝動軸が回転できるように設置され、前記伝動軸の左方へ伸びた部分が前記動力空間の中に延在し、前記伝動軸の右方へ伸びた部分が前記歯車空間の中に延在し、前記伝動軸の左右両側面にはいずれも第四傘歯車が固定的に設置され、右側にある前記第四傘歯車と上側にある前記第二傘歯車とが噛み合い、左側にある前記第四傘歯車と前記第三傘歯車とが噛み合い、前記動力空間の左壁には第一モータが固定的に設置され、前記第一モータの両側面にはいずれもモータ軸が伝動できるように連結され、右側にある前記モータ軸の右側面には第五傘歯車が固定的に設置され、前記第五傘歯車と前記第三傘歯車とが噛み合い、二つの前記砕氷柱の上方へ伸びた部分がいずれも前記動力空間の中に延在し、且つ前記砕氷柱の頂面にはウォームホイールが固定的に設置され、前記ウォームホイールと前記ウォームとは噛み合い、前記第三傘歯車が二つの前記ウォームホイールの間に位置し、前記支持体の左側面には前後対称の二つの安定ブロックが固定的に設置され、前記砕氷柱が前記安定ブロックを貫通し、前記砕氷柱と前記安定ブロックとは回転できるように連結されている。
【０００９】
また、もう一つの実施例の中で、前記砕氷盤の底面には砕氷刃が固定的に設置されている。
【００１０】
また、もう一つの実施例の中で、前記開門機構は前記連結体の頂面に固定的に設置された揚水ポンプを含み、前記揚水ポンプの左側面には吸水管が連通するように装着され、前記揚水ポンプの右側面には排水管が連通するように装着され、前記吸水管の下方へ伸びた部分が前記液体貯蔵空間の中に延在し、前記液体貯蔵空間の両側の内部には保温層が固定的に設置され、前記排水管の右側面にはノズルが固定的に設置され、前記動力空間の左側には回転盤空間が設置され、前記回転盤空間の上側にはスライド空間が連通するように設置され、前記スライド空間と前記排水管とは連通し、前記スライド空間の内壁にはピストンがスライドできるように設置され、左側にある前記モータ軸の左方へ伸びた部分が前記回転盤空間の中に延在し、且つ前記回転盤空間の左側面には回転盤が固定的に設置され、前記回転盤の左側面と前記ピストンの底面にはコンロッドがヒンジで連結されている。
【００１１】
また、もう一つの実施例の中で、前記氷すくい機構は二つの固定板を含み、二つの前記固定板は前記装置車の右側面に前後対称的に、且つ固定的に設置され、二つの前記固定板の間にはローラ軸が回転できるように設置され、前記ローラ軸の外周にはローラが固定的に設置され、前記ローラの外周には六つの固定ブロックが固定的に設置され、二つずつの前記固定ブロックの間にはいずれもスライドロッドが固定的に設置され、前記スライドロッドの外周にはいずれもスライダがスライドできるように設置され、前記スライダの片側面と前記ローラとはスライドできるように連結され、前記スライダの他側面にはスコップが固定的に設置され、前記スコップの中には氷すくい空間が設置され、各組の前記固定ブロックと前記スライダとの間には第二ばねが固定的に装着されている。
【００１２】
また、もう一つの実施例の中で、前記運転室の下側にはモータ空間が設置され、前記モータ空間の底壁には第二モータが固定的に設置され、前記第二モータの左右両側面にはいずれも横軸が伝動できるように連結され、前記横軸の他側面にはいずれも第六傘歯車が固定的に設置され、後側にある前記固定板の中にはベルト空間が設置され、前記ベルト空間と前記モータ空間との間には連結空間が連通するように設置され、前記ローラ軸の後方へ伸びた部分が前記ベルト空間の中に延在し、且つ前記ベルト空間の後壁と回転できるように連結され、前記ベルト空間の中にある前記ローラ軸の外周には第一プーリが固定的に設置され、前記モータ空間の後壁にはプーリ軸が回転できるように設置され、前記プーリ軸の外周には第七傘歯車と第二プーリとが固定的に設置され、前記第七傘歯車と前記第六傘歯車とは噛み合い、前記第二プーリと前記第一プーリとの間にはベルトが伝動できるように装着されている。
【００１３】
また、もう一つの実施例の中で、前記輸送機構は前記氷貯蔵空間の後壁に回転できるように設置された旋転軸を含み、前記旋転軸の外周には第三プーリが固定的に設置され、前記装置車の底面には前後対称の二つの支持柱が固定的に設置され、二つの前記支持柱の間には従動輪が回転できるように設置され、前記従動輪と前記第三プーリとの間には輸送ベルトが伝動できるように装着され、前記輸送ベルトの外側面には輸送ブロックが均一に且つ固定的に配置され、前記輸送ベルトが前記輸送空間を貫通し、前記輸送ベルトの右側部分が前記ローラの左下方に位置し、前記氷貯蔵空間の後側には矩形空間が設置され、前記旋転軸の後方へ伸びた部分が前記矩形空間の中に延在し、且つ前記旋転軸の後側面には第八傘歯車が固定的に設置され、左側にある前記横軸の左方へ伸びた部分が前記矩形空間の中に延在し、左側にある前記第六傘歯車と前記第八傘歯車とが噛み合う。
【発明の効果】
【００１４】
本願発明の有益効果は：本願発明の動力機構は開門機構と、制御機構と、砕氷柱との作動を同時に制御でき、開門機構は揚水ポンプがお湯を輸送すると同時にノズルに断続的に水を噴かせ、氷面を初歩的に溶かし、制御機構は氷切り取り柱を制御し、氷切り取り柱が氷切り取り盤を駆動して断続的に下方へ氷を衝撃させて切り取らせ、砕氷柱は砕氷盤を連動させて氷を砕かせ、道路で装置車を運転する時、お湯の補助で氷の切り取りと砕氷の作業を行い、氷すくい機構は砕けた氷塊をすくって輸送ベルトに投げ出し、輸送機構は氷塊を輸送して貯蔵し、装置全体の各構造が連動でき、除氷効果がよく、自動化レベルが高い。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の内部全体構成模式図
【図２】図２は本願発明の矩形空間の内部構成拡大模式図
【図３】図３は本願発明のベルト空間の内部構成拡大模式図
【図４】図４は本願発明の氷すくい機構の局部拡大模式図
【図５】図５は本願発明の図１におけるＡの拡大模式図
【発明を実施するための形態】
【００１７】
図１〜５を参照し、本願発明の実施例の清掃機能付きの道路砕氷除氷車は、装置車１３を含み、前記装置車１３の頂面には連結体２１が固定的に設置され、前記連結体２１の右側面には支持体４０が固定的に設置され、前記支持体４０の中には前後対称で下方に開口したインパクト空間４７が二つ設置され、前記インパクト空間４７の内壁にはいずれも氷切り取り柱３８がスライドできるように設置され、前記氷切り取り柱３８の底面にはいずれも氷を切り取ることができる氷切り取り盤３７が設置され、前記インパクト空間４７の左側には制御空間４１が連通するように設置され、前記制御空間４１の中には制御機構１０１が設置され、前記制御機構１０１は前記氷切り取り柱３８を制御して前記氷切り取り柱３８に断続的に下方へ氷を衝撃させて切り取らせることができ、前記連結体２１の底面には前後対称の二つの砕氷柱５８が回転できるように設置され、前記砕氷柱５８の底面にはいずれも氷を割ることで砕氷効果を得る砕氷盤３３が固定的に設置され、前記連結体２１の中には動力空間５６が設置され、前記動力空間５６の中には動力機構１０２が設置され、前記動力機構１０２は前記砕氷柱５８を制御して回転させ、そして前記制御機構１０１を作動させることができ、前記装置車１３の中には運転室２３が設置され、前記運転室２３の左側には液体貯蔵空間１２が設置され、前記液体貯蔵空間１２の中にはお湯が貯蔵され、前記連結体２１の頂面には開門機構１０３が設置され、前記開門機構１０３は前記液体貯蔵空間１２の中にあるお湯を断続的に前記支持体４０の右側に噴くことができ、前記装置車１３と前記支持体４０との間には氷すくい機構１０４が設置され、前記氷すくい機構１０４は砕氷と緩んだ氷塊をすくって左方へ投げることができ、前記液体貯蔵空間１２の下側には氷貯蔵空間１７が設置され、前記氷貯蔵空間１７の中は装置の中に収集された氷塊を貯蔵でき、前記氷貯蔵空間１７の右側には下方に開口した輸送空間２６が連通するように設置され、前記輸送空間２６の中には輸送機構１０５が設置され、前記輸送機構１０５は前記氷すくい機構１０４が投げ出した氷塊を前記氷貯蔵空間１７の中に輸送できる。
【００１８】
更の技術プランとしては、前記制御機構１０１は前記制御空間４１の後壁に回転できるように設置された従動軸４２を含み、前記従動軸４２の外周には前後対称の二つのセクタ輪４４及び一つの第一傘歯車４３が固定的に設置され、前記第一傘歯車４３が二つの前記セクタ輪４４の間に位置し、前記氷切り取り柱３８の左側面には歯が付き、前記セクタ輪４４は前記氷切り取り柱３８の左側面と噛み合うことができ、前記氷切り取り柱３８の頂面と前記インパクト空間４７の頂壁との間には第一ばね４８が固定的に装着され、前記制御空間４１の上側には歯車空間５０が設置され、前記歯車空間５０と前記制御空間４１との内壁の間には縦軸４６が回転できるように設置され、前記縦軸４６の下方へ伸びた部分が前記制御空間４１の中に延在し、前記縦軸４６の上方へ伸びた部分が前記歯車空間５０の中に延在し、前記縦軸４６の上下側面にはいずれも第二傘歯車４５が固定的に設置され、下側の前記第二傘歯車４５が前記第一傘歯車４３と噛み合い、前記縦軸４６の回転は前記従動軸４２に前記セクタ輪４４を回転させ、前記セクタ輪４４と前記氷切り取り柱３８とが噛み合った時、前記氷切り取り柱３８が上方へ移動し、前記セクタ輪４４と前記氷切り取り柱３８とが噛み合わない時、前記第一ばね４８は前記氷切り取り柱３８を下方へ移動させることができ、そしてインパクトで氷を切り取ることができる。
【００１９】
更の技術プランとしては、前記氷切り取り盤３７の底面には氷切り取り歯３６が均一に配置され、前記氷切り取り歯３６で砕氷の効果を上げられる。
【００２０】
更の技術プランとしては、前記動力機構１０２は前記動力空間５６の前後壁に回転できるように設置されたウォーム５９を含み、前記ウォーム５９の外周には第三傘歯車６０が固定的に設置され、前記動力空間５６と前記歯車空間５０との内壁の間には伝動軸５３が回転できるように設置され、前記伝動軸５３の左方へ伸びた部分が前記動力空間５６の中に延在し、前記伝動軸５３の右方へ伸びた部分が前記歯車空間５０の中に延在し、前記伝動軸５３の左右両側面にはいずれも第四傘歯車５２が固定的に設置され、右側にある前記第四傘歯車５２と上側にある前記第二傘歯車４５とが噛み合い、左側にある前記第四傘歯車５２と前記第三傘歯車６０とが噛み合い、前記動力空間５６の左壁には第一モータ５５が固定的に設置され、前記第一モータ５５の両側面にはいずれもモータ軸５４が伝動できるように連結され、右側にある前記モータ軸５４の右側面には第五傘歯車５７が固定的に設置され、前記第五傘歯車５７と前記第三傘歯車６０とが噛み合い、二つの前記砕氷柱５８の上方へ伸びた部分がいずれも前記動力空間５６の中に延在し、且つ前記砕氷柱５８の頂面にはウォームホイール６２が固定的に設置され、前記ウォームホイール６２と前記ウォーム５９とは噛み合い、前記第三傘歯車６０が二つの前記ウォームホイール６２の間に位置し、前記支持体４０の左側面には前後対称の二つの安定ブロック３５が固定的に設置され、前記砕氷柱５８が前記安定ブロック３５を貫通し、前記砕氷柱５８と前記安定ブロック３５とは回転できるように連結され、前記第一モータ５５の作動は右側にある前記モータ軸５４に前記ウォーム５９を回転させ、そして二つの前記砕氷柱５８と一つの前記伝動軸５３とが同時に回転し、前記砕氷盤３３と前記縦軸４６とが同時に回転し、前記氷切り取り盤３７に氷を切り取らせると同時に前記砕氷盤３３に左側へ回転させて氷を砕き、前記安定ブロック３５で前記砕氷柱５８の安定性を上げる。
【００２１】
更の技術プランとしては、前記砕氷盤３３の底面には砕氷刃３４が固定的に設置され、前記砕氷刃３４で砕氷の効果を上げられる。
【００２２】
更の技術プランとしては、前記開門機構１０３は前記連結体２１の頂面に固定的に設置された揚水ポンプ２０を含み、前記揚水ポンプ２０の左側面には吸水管１５が連通するように装着され、前記揚水ポンプ２０の右側面には排水管２２が連通するように装着され、前記吸水管１５の下方へ伸びた部分が前記液体貯蔵空間１２の中に延在し、前記液体貯蔵空間１２の両側の内部には保温層１１が固定的に設置され、前記排水管２２の右側面にはノズル４９が固定的に設置され、前記動力空間５６の左側には回転盤空間８１が設置され、前記回転盤空間８１の上側にはスライド空間８０が連通するように設置され、前記スライド空間８０と前記排水管２２とは連通し、前記スライド空間８０の内壁にはピストン７８がスライドできるように設置され、左側にある前記モータ軸５４の左方へ伸びた部分が前記回転盤空間８１の中に延在し、且つ前記回転盤空間８１の左側面には回転盤８２が固定的に設置され、前記回転盤８２の左側面と前記ピストン７８の底面にはコンロッド７９がヒンジで連結され、
前記揚水ポンプ２０の作動で前記液体貯蔵空間１２が前記ノズル４９の中に輸送され、前記ノズル４９によって前記支持体４０の右側にお湯を噴き、左側にある前記モータ軸５４の回転は前記回転盤８２を回転させ、さらに前記コンロッド７９に前記ピストン７８を連動させて上下に移動させ、そして前記排水管２２の中のお湯は断続的に右方へ輸送されることができ、そうすると除氷効果を下げずに水資源を節約でき、さらに前記保温層１１によって保温もできる。
【００２３】
更の技術プランとしては、前記氷すくい機構１０４は二つの固定板３２を含み、二つの前記固定板３２は前記装置車１３の右側面に前後対称的に、且つ固定的に設置され、二つの前記固定板３２の間にはローラ軸７０が回転できるように設置され、前記ローラ軸７０の外周にはローラ７１が固定的に設置され、前記ローラ７１の外周には六つの固定ブロック７２が固定的に設置され、二つずつの前記固定ブロック７２の間にはいずれもスライドロッド７３が固定的に設置され、前記スライドロッド７３の外周にはいずれもスライダ７４がスライドできるように設置され、前記スライダ７４の片側面と前記ローラ７１とはスライドできるように連結され、前記スライダ７４の他側面にはスコップ７６が固定的に設置され、前記スコップ７６の中には氷すくい空間７７が設置され、各組の前記固定ブロック７２と前記スライダ７４との間には第二ばね７５が固定的に装着され、前記ローラ軸７０の回転は前記ローラ７１を回転させ、さらに前記固定ブロック７２と、前記スライダ７４と、前記スコップ７６とを同時に回転させることができ、前記スコップ７６は下側に回転して氷面に当接した時、前記スライダ７４は前記スコップ７６を連動させて前記第二ばね７５の方向へスライドさせ、前記スコップ７６が回転して氷面を離れた時、前記スライダ７４は前記スコップ７６を連動させて左方へ出し、氷をすくって投げ出すことができる。
【００２４】
更の技術プランとしては、前記運転室２３の下側にはモータ空間２９が設置され、前記モータ空間２９の底壁には第二モータ２８が固定的に設置され、前記第二モータ２８の左右両側面にはいずれも横軸２７が伝動できるように連結され、前記横軸２７の他側面にはいずれも第六傘歯車６３が固定的に設置され、後側にある前記固定板３２の中にはベルト空間８３が設置され、前記ベルト空間８３と前記モータ空間２９との間には連結空間６７が連通するように設置され、前記ローラ軸７０の後方へ伸びた部分が前記ベルト空間８３の中に延在し、且つ前記ベルト空間８３の後壁と回転できるように連結され、前記ベルト空間８３の中にある前記ローラ軸７０の外周には第一プーリ６９が固定的に設置され、前記モータ空間２９の後壁にはプーリ軸６１が回転できるように設置され、前記プーリ軸６１の外周には第七傘歯車５１と第二プーリ６６とが固定的に設置され、前記第七傘歯車５１と前記第六傘歯車６３とは噛み合い、前記第二プーリ６６と前記第一プーリ６９との間にはベルト６８が伝動できるように装着され、前記第二モータ２８の作動で右側にある前記横軸２７は前記プーリ軸６１を回転させられ、さらに前記ベルト６８を伝動させ、そして前記ローラ軸７０を回転させられる。
【００２５】
更の技術プランとしては、前記輸送機構１０５は前記氷貯蔵空間１７の後壁に回転できるように設置された旋転軸１８を含み、前記旋転軸１８の外周には第三プーリ１９が固定的に設置され、前記装置車１３の底面には前後対称の二つの支持柱３０が固定的に設置され、二つの前記支持柱３０の間には従動輪３１が回転できるように設置され、前記従動輪３１と前記第三プーリ１９との間には輸送ベルト２４が伝動できるように装着され、前記輸送ベルト２４の外側面には輸送ブロック２５が均一に且つ固定的に配置され、前記輸送ベルト２４が前記輸送空間２６を貫通し、前記輸送ベルト２４の右側部分が前記ローラ７１の左下方に位置し、前記氷貯蔵空間１７の後側には矩形空間６４が設置され、前記旋転軸１８の後方へ伸びた部分が前記矩形空間６４の中に延在し、且つ前記旋転軸１８の後側面には第八傘歯車６５が固定的に設置され、左側にある前記横軸２７の左方へ伸びた部分が前記矩形空間６４の中に延在し、左側にある前記第六傘歯車６３と前記第八傘歯車６５とが噛み合い、左側にある前記横軸２７の回転は前記旋転軸１８を回転させ、前記輸送ベルト２４を伝動させ、そして氷塊を前記氷貯蔵空間１７の中に輸送できる。
【００２６】
使用時、縦軸４６の回転は従動軸４２にセクタ輪４４を回転させ、セクタ輪４４と氷切り取り柱３８とが噛み合った時、氷切り取り柱３８が上方へ移動し、セクタ輪４４と氷切り取り柱３８とが噛み合わない時、第一ばね４８は氷切り取り柱３８を下方へ移動させることができ、そしてインパクトで氷を切り取ることができ、第一モータ５５の作動は右側にあるモータ軸５４にウォーム５９を回転させ、そして二つの砕氷柱５８と一つの伝動軸５３とが同時に回転し、さらに砕氷盤３３と縦軸４６とが同時に回転し、氷切り取り盤３７に氷を切り取らせると同時に砕氷盤３３に左側へ回転させて氷を砕き、揚水ポンプ２０の作動で液体貯蔵空間１２がノズル４９の中に輸送され、ノズル４９によって支持体４０の右側にお湯を噴き、左側にあるモータ軸５４の回転は回転盤８２を回転させ、さらにコンロッド７９にピストン７８を連動させて上下に移動させ、排水管２２の中のお湯は断続的に右方へ輸送されることができ、そうすると除氷効果を下げずに水資源を節約でき、さらに保温層１１によっても保温でき、ローラ軸７０の回転はローラ７１を回転させ、さらに固定ブロック７２と、スライダ７４と、スコップ７６とを同時に回転させることができ、スコップ７６は下側に回転して氷面に当接した時、スライダ７４はスコップ７６を連動させて第二ばね７５の方向へスライドさせ、スコップ７６が回転して氷面を離れた時、スライダ７４はスコップ７６を連動させて左方へ出し、氷をすくって投げ出すことができ、第二モータ２８の作動で右側にある横軸２７はプーリ軸６１を回転させられ、さらにベルト６８を伝動させ、そしてローラ軸７０を回転させられ、左側にある横軸２７の回転は旋転軸１８を回転させ、さらに輸送ベルト２４を伝動させ、そして氷塊を氷貯蔵空間１７の中に輸送できる。
【００２７】
本願発明の有益効果は：本願発明の動力機構は開門機構と、制御機構と、砕氷柱との作動を同時に制御でき、開門機構は揚水ポンプがお湯を輸送すると同時にノズルに断続的に水を噴かせ、氷面を初歩的に溶かし、制御機構は氷切り取り柱を制御し、氷切り取り柱が氷切り取り盤を駆動して断続的に下方へ氷を衝撃させて切り取らせ、砕氷柱は砕氷盤を連動させて氷を砕かせ、道路で装置車を運転する時、お湯の補助で氷の切り取りと砕氷の作業を行い、氷すくい機構は砕けた氷塊をすくって輸送ベルトに投げ出し、輸送機構は氷塊を輸送して貯蔵し、装置全体の各構造が連動でき、除氷効果がよく、自動化レベルが高い。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本願発明は清掃機能付きの道路砕氷除氷車を開示した。
【解決手段】
装置車を含み、前記装置車の頂面には連結体が固定的に設置され、前記連結体の右側面には支持体が固定的に設置され、前記支持体の中には前後対称で下方に開口したインパクト空間が二つ設置され、前記インパクト空間の内壁にはいずれも氷切り取り柱がスライドできるように設置され、前記氷切り取り柱の底面にはいずれも氷を切り取ることができる氷切り取り盤が設置され、本願発明の動力機構は開門機構と、制御機構と、砕氷柱との作動を同時に制御でき、開門機構は揚水ポンプがお湯を輸送すると同時にノズルに断続的に水を噴かせ、氷面を初歩的に溶かし、制御機構は氷切り取り柱を制御し、氷切り取り柱が氷切り取り盤を駆動して断続的に下方へ氷を衝撃させて切り取らせ、砕氷柱は砕氷盤を連動させて氷を砕かせる。
【選択図】図１【図１】
0006726828.tif 000002
【図２】
0006726828.tif 000003
【図３】
0006726828.tif 000004
【図４】
0006726828.tif 000005
【図５】
0006726828.tif 000006